(57)【要約】【課題】利用者の利便性を確保しつつ、ウェブサイト画面の保存を合理的に行うことができる方法及び当該方法を使用する移動通信端末装置の提供。【解決手段】  表示中のウェブサイト画面の保存に際し、画面全体を、画面を構成する各要素毎のファイルとして保存する場合に必要な記憶容量が、保存可能容量条件を満たさない場合は、画面全体をイメージデータとして保存する保存可能容量条件を満たす保存形式が存在するか否かを、保存判定部３４が判定する。当該判定の結果が肯定的な場合は、全画面保存部３７が、データ圧縮率が最も低い最適保存形式で保存する。当該判定の結果が否定的なときは、現に画面に表示されている領域のイメージデータを、当該保存可能容量条件を満たすデータ圧縮率が最も低い保存形式で、表示サイズ保存部３８が保存する。【選択図】  図３
2008052314.tif 000002
【特許請求の範囲】
【請求項１】
移動通信端末装置においてウェブサイト画面を保存するために使用されるウェブ画面保存方法であって、
表示部に少なくとも一部が表示中のウェブサイト画面である表示中ウェブサイト画面の情報の保存指令がなされたときに、前記表示中ウェブサイト画面の全画面の情報を、ウェブサーバから受信した形式である通常形式によって保存するとした場合に必要な記憶容量が、保存可能容量条件を満たすか否かを判定するサイズ判定工程と；
前記サイズ判定工程における判定の結果が否定的であった場合に、予め用意されている複数の保存形式の中に、前記全画面のイメージデータの保存に際して、前記保存可能容量条件を満たすことが可能な少なくとも一つの適用可能保存形式が存在するか否かを判定する保存形式判定工程と；
前記保存形式判定工程における判定の結果が肯定的なものであった場合には、前記少なくとも一つの適用可能保存形式のうちで、データ圧縮率が最も低い最適保存形式で、前記全画面のイメージデータを、前記ウェブサイトのネットワーク上の位置を示す識別子と関連付けて保存する全画面保存工程と；を備えるウェブ画面保存方法。
【請求項２】
前記サイズ判定工程における判定の結果が否定的なものであった場合には、現に画面に表示されている領域のイメージデータを、前記保存可能容量条件を満たすようなデータ圧縮率が最も低い最適保存形式によって、前記ウェブサイトのネットワーク上の位置を示す識別子と関連付けて保存する表示サイズ保存工程を更に備える、ことを特徴とする請求項１に記載のウェブ画面保存方法。
【請求項３】
前記保存可能容量条件は、所定の最大保存可能サイズ以下のサイズである、ことを特徴とする請求項１又は２に記載のウェブ画面保存方法。
【請求項４】
前記保存可能容量条件は、ウェブ画面保存領域において残存するメモリ量以下のサイズである、ことを特徴とする請求項１又は２に記載のウェブ画面保存方法。
【請求項５】
画像を表示する表示手段と；
前記表示手段に表示中のウェブサイト画面の情報を保存するために確保されたウェブ画面保存領域を含む記憶手段と；
前記表示部に少なくとも一部が表示中のウェブサイト画面である表示中ウェブサイト画面の情報の保存指令がなされたときに、前記表示中ウェブサイト画面の全画面の情報を、ウェブサーバから受信した形式である通常形式によって保存するとした場合に必要な記憶容量が、保存可能容量条件を満たすか否かを判定するサイズ判定手段と；
前記サイズ判定手段による判定の結果が否定的であった場合に、予め用意されている複数の保存形式の中に、前記全画面のイメージデータの保存に際して、前記保存可能容量条件を満たすことが可能な少なくとも一つの適用可能保存形式が存在するか否かを判定する保存形式判定手段と；
前記保存形式判定手段による判定の結果が肯定的なものであった場合には、前記少なくとも一つの適用可能保存形式のうちで、データ圧縮率が最も低い最適保存形式で、前記全画面のイメージデータを、前記ウェブサイトのネットワーク上の位置を示す識別子と関連付けて保存する全画面保存手段と；を備える移動通信端末装置。
【請求項６】
前記サイズ判定手段による判定の結果が否定的なものであった場合には、現に画面に表示されている領域をイメージデータとして、前記保存可能容量条件を満たすようなデータ圧縮率が最も低い最適保存形式によって、前記ウェブサイトのネットワーク上の位置を示す識別子と関連付けて保存する表示サイズ保存手段を更に備える、ことを特徴とする請求項５に記載の移動通信端末装置。
【請求項７】
前記保存可能容量条件は、所定の最大保存可能サイズ以下のサイズである、ことを特徴とする請求項５又は６に記載の移動通信端末装置。
【請求項８】
前記保存可能容量条件は、前記ウェブ画面保存領域において残存するメモリ量以下のサイズである、ことを特徴とする請求項５又は６に記載の移動通信端末装置。
【発明の詳細な説明】
【技術分野】
【０００１】
本発明は、ウェブ画面保存方法及び移動通信端末装置に係り、より詳しくは、移動通信端末装置においてウェブサイト画面を保存するために使用されるウェブ画面保存方法、及び、当該ウェブ画面保存方法を使用する移動通信端末装置に関するものである。
【背景技術】
【０００２】
従来から、携帯電話装置を代表とする移動通信端末装置が広く普及している。こうした移動通信端末装置に関する技術の進歩は目覚しく、通話機能や電子メール送受信機能だけでなく、移動通信端末装置からでも移動通信端末装置専用のウェブサイト（以下、「モバイル用サイト」ともいう）が閲覧できるようなブラウザ（以下、「モバイルブラウザ」ともいう）機能も標準的に搭載されるようになっている。
【０００３】
また、近年では移動通信端末装置からでも通常のパーソナルコンピューターから閲覧するためのものである汎用的なサイトを閲覧できるブラウザ（以下、「フルブラウザ」ともいう）機能を搭載した機種も発表されている。例えば、以下の非特許文献１においては、フルブラウザ機能を搭載した代表的な携帯電話装置の動向が報じられている。
【非特許文献１】坪山博貴、“話題のOperaはどこまで使える？”、[online]、平成１６年５月２７日、ITmedia、[平成１８年７月３１日検索]、インターネット<URL: http://plusd.itmedia.co.jp/mobile/articles/0405/27/news003.html>
【発明の開示】
【発明が解決しようとする課題】
【０００４】
ところで、ブラウザ機能に付随して、表示部に表示中のウェブサイト画面の保存機能が実装されているが、通常ウェブサイトの画面を保存するような場合には、ウェブサイトを構成する要素毎のファイルの形式（例えば、ＨＴＭＬファイル、ＪＰＥＧファイル、ＭＩＤＩファイル等）で保存される方式が採用されるのが一般的である。このようなファイル毎の保存には、多くのメモリ容量を要する。
【０００５】
しかしながら、小型化に対する要請の強い移動通信端末装置ではメモリ搭載量が限られており、通常のウェブサイト画面を保存するために潤沢なメモリ容量を確保することができない。このため、利用者が希望するウェブサイト画面の種類によって、保存できるウェブサイト画面の数が制限されてしまう結果を招き、利用者の利便性が損なわれる可能性があった。
【０００６】
本発明は、利用者の利便性を確保しつつ、ウェブサイト画面の保存を合理的に行うことができるウェブ画面保存方法及び移動通信端末装置を提供することを目的とする。
【課題を解決するための手段】
【０００７】
本発明は、第１の観点からすると、移動通信端末装置においてウェブサイト画面を保存するために使用されるウェブ画面保存方法であって、表示部に少なくとも一部が表示中のウェブサイト画面である表示中ウェブサイト画面の情報の保存指令がなされたときに、前記表示中ウェブサイト画面の全画面の情報を、ウェブサーバから受信した形式である通常形式によって保存するとした場合に必要な記憶容量が、保存可能容量条件を満たすか否かを判定するサイズ判定工程と；前記サイズ判定工程における判定の結果が否定的であった場合に、予め用意されている複数の保存形式の中に、前記全画面のイメージデータの保存に際して、前記保存可能容量条件を満たすことが可能な少なくとも一つの適用可能保存形式が存在するか否かを判定する保存形式判定工程と；前記保存形式判定工程における判定の結果が肯定的なものであった場合には、前記少なくとも一つの適用可能保存形式のうちで、データ圧縮率が最も低い最適保存形式で、前記全画面のイメージデータを、前記ウェブサイトのネットワーク上の位置を示す識別子と関連付けて保存する全画面保存工程と；を備えるウェブ画面保存方法である。
【０００８】
このウェブ画面保存方法では、ウェブサイト画面の少なくとも一部を表示部に表示中に利用者の入力操作等によって画面保存の指令がなされると、まず、サイズ判定工程において、表示対象となっているウェブサイト画面全体である全画面を、ウェブサイト画面を構成する各要素毎のファイルとして保存する通常形式によって保存するとした場合に必要な記憶容量を算出する。続いて、当該記憶容量が、定められた保存可能容量条件を満たすか否かを判定する。
【０００９】
当該サイズ判定工程における判定の結果が否定的であった場合には、保存形式判定工程において、予め用意されている複数の保存形式の中に、当該全画面のイメージデータの保存に際して、当該保存可能容量条件を満たすことが可能な少なくとも一つの適用可能保存形式が存在するか否かを判定する。ここで、予め用意されている複数の保存形式とは、例えば、ＪＰＥＧ（Joint Photograph Experts Group）やＰＮＧ（Portable Network Graphic）といった少なくとも一つの画像形式について定められた少なくとも一つの圧縮レベルによる保存形式をいう。
【００１０】
つまり、当該保存形式判定工程においては、当該全画面を複数の保存形式のうち少なくとも一つによって、保存可能容量条件を満たすようにイメージデータとして保存することができるか否かを判定する。この判定の結果が少なくとも一つの適用可能保存形式について肯定的なものであった場合には、全画面保存工程において、当該少なくとも一つの適用可能保存形式のうちで、データ圧縮率が最も低い最適保存形式で、全画面のイメージデータを、当該ウェブサイトのネットワーク上の位置を示す識別子と関連付けて保存する。
【００１１】
ここで、データ圧縮率が最も低い最適保存形式で保存するのは、当該保存可能容量条件を満たす形式のうちで、最も画像の再現性がよい形式によってデータを保存するためである。また、当該ウェブサイトのネットワーク上の位置を示す識別子と関連付けて保存するのは、当該保存するイメージデータをインデックスとし、当該識別子を用いて当該ウェブサイトに再度アクセスできるようにするためである。
【００１２】
したがって、本発明のウェブ画面保存方法によれば、ウェブサイト画面の保存を合理的に行うことができる。
【００１３】
本発明のウェブ画面保存方法では、前記サイズ判定工程における判定の結果が否定的なものであった場合には、現に画面に表示されている領域をイメージデータとして、前記保存可能容量条件を満たすようなデータ圧縮率が最も低い最適保存形式によって、前記ウェブサイトのネットワーク上の位置を示す識別子と関連付けて保存する表示サイズ保存工程を更に備えるようにすることができる。
【００１４】
この場合、当該サイズ判定工程における判定の結果が否定的なものであるとき、すなわち、予め用意されている複数の保存形式によっては、保存可能容量条件を満たすように当該全画面を保存することが不可能であると判定されたときには、表示サイズ保存工程が実行される。この表示サイズ保存工程においては、現に画面に表示されている領域について、当該保存可能容量条件を満たすようなデータ圧縮率が最も低い最適保存形式によって、イメージデータとして保存する。この際、全画面保存工程における場合と同様に、当該ウェブサイトのネットワーク上の位置を示す識別子と関連付けて保存する。
【００１５】
また、本発明のウェブ画面保存方法では、前記保存可能容量条件を、所定の最大保存可能サイズ以下のサイズとすることができる。この場合には、ウェブ画面保存用の記憶領域に保存できるウェブ画面の最低数が保証される。
【００１６】
また、本発明のウェブ画面保存方法では、前記保存可能容量条件を、ウェブ画面保存用領域において残存するメモリ量以下のサイズとすることができる。この場合には、ウェブ画面保存用の空き記憶領域が小さくなってしまった場合であっても、可能な限りの画面再現性で、ウェブ画面を保存することができる。
【００１７】
本発明は、第２の観点からすると、画像を表示する表示手段と；前記表示手段に表示中のウェブサイト画面の情報を保存するために確保されたウェブ画面保存領域を含む記憶手段と；前記表示部に少なくとも一部が表示中のウェブサイト画面である表示中ウェブサイト画面の情報の保存指令がなされたときに、前記表示中ウェブサイト画面の全画面の情報を、ウェブサーバから受信した形式である通常形式によって保存するとした場合に必要な記憶容量が、保存可能容量条件を満たすか否かを判定するサイズ判定手段と；前記サイズ判定手段による判定の結果が否定的であった場合に、予め用意されている複数の保存形式の中に、前記全画面のイメージデータの保存に際して、前記保存可能容量条件を満たすことが可能な少なくとも一つの適用可能保存形式が存在するか否かを判定する保存形式判定手段と；前記保存形式判定手段による判定の結果が肯定的であった場合には、前記少なくとも一つの適用可能保存形式のうちで、データ圧縮率が最も低い最適保存形式で、前記全画面のイメージデータを、前記ウェブサイトのネットワーク上の位置を示す識別子と関連付けて保存する全画面保存手段と；を備える移動通信端末装置である。
【００１８】
この移動通信端末装置では、ウェブサイト画面の少なくとも一部を表示部に表示中に画面保存の指令がなされると、サイズ判定手段が、表示対象となっているウェブサイト画面全体である全画面をウェブサイト画面を構成する各要素毎のファイルとして保存する通常形式によって保存するとした場合に必要な記憶容量が、保存可能容量条件を満たすか否かを判定する。この判定の結果が否定的であった場合には、各要素毎のファイルによる形式では全画面を保存することができないので、保存形式判定手段が、予め移動通信端末装置において用意されている複数の保存形式の中に、当該全画面を対象に、そのイメージデータを保存するに際し、当該保存可能容量条件を満たすことが可能な少なくとも一つの適用可能保存形式が存在するか否かを判定する。
【００１９】
当該保存形式判定手段による判定の結果が肯定的であった場合には、当該少なくとも一つの適用可能保存形式によりイメージデータの保存が可能であることを意味する。そこで、画面の再現性の良否の観点から、全画面保存手段が、該当する適用可能保存形式の中でデータ圧縮率が最も低い最適保存形式を選択する。そして、全画面保存手段は、当該ウェブサイトのネットワーク上の位置を示す識別子と関連付けて、最適保存形式で当該ウェブサイトの全画面のイメージデータを保存する。
【００２０】
すなわち、本発明の移動通信端末装置では、上述した本発明のウェブ画面保存方法を使用して、ウェブサイト画面を保存することができる。したがって、本発明の移動通信端末装置によれば、ウェブサイト画面の保存を合理的に行うことができる。
【００２１】
本発明の移動通信端末装置では、前記サイズ判定手段による判定の結果が否定的なものであった場合には、現に画面に表示されている領域をイメージデータとして、前記保存可能容量条件を満たすようなデータ圧縮率が最も低い最適保存形式によって、前記ウェブサイトのネットワーク上の位置を示す識別子と関連付けて保存する表示サイズ保存手段を更に備える、とすることができる。
【００２２】
この場合、サイズ判定手段における判定の結果が否定的であったとき、すなわち、当該全画面を対象としては保存することができないときには、表示サイズ保存手段が、全画面ではなく、画面保存を選択したタイミングで現に画面に表示されている領域を対象として、イメージデータとして保存することになる。この際、表示サイズ保存手段は、当該保存可能容量条件を満たすようなデータ圧縮率が最も低い、つまり最も再現性がよい保存形式を選択する。そして、表示サイズ保存手段は、当該ウェブサイトのネットワーク上の位置を示す識別子と関連付けて、対象である表示されている領域を保存する。
【００２３】
また、本発明の移動通信端末装置では、前記保存可能容量条件を、所定の最大保存可能サイズ以下のサイズとすることができる。この場合には、画面保存を行う際には、各イメージデータはそれぞれ一定値以下のサイズで保存されることになる。このため、ウェブ画面保存用の記憶領域に保存できるウェブ画面の最低数が保証される。
【００２４】
また、本発明の移動通信端末装置では、前記保存可能容量条件を、ウェブ画面保存用領域において残存するメモリ量以下のサイズとすることができる。この場合には、ウェブ画面保存用の空き記憶領域が少なくなってしまった場合であっても、可能な限りの画面再現性で、ウェブ画面を保存することができる。
【発明の効果】
【００２５】
したがって、本発明のウェブ画面保存方法によれば、移動通信端末装置において合理的なウェブ画面保存を行うことができるという効果を奏する。
【００２６】
また、本発明の移動通信端末装置によれば、合理的なウェブ画面保存を行うことができるという効果を奏する。
【発明を実施するための最良の形態】
【００２７】
以下、本発明の実施形態を、図１〜図６を参照しつつ説明する。なお、これらの図においては、同一又は同等の要素には同一の符号を付し、重複する説明を省略する。
【００２８】
＜構成＞
図１には、移動通信端末装置である携帯電話装置１０の外観構成が概略的に示されている。ここで、図１（Ａ）には、携帯電話装置１０の外観の正面図が示され、図１（Ｂ）には、携帯電話装置１０の外観の背面図が示されている。
【００２９】
図１（Ａ）及び図１（Ｂ）に総合的に示されるように、携帯電話装置１０は、（ａ）携帯電話本体１１と、（ｂ）電話番号を入力するためのテンキー、及び、動作モードの切換等の各種指令を、後述する制御部２１（図２参照）に入力するためのファンクションキーを有する操作部１２と、（ｃ）操作案内、動作状況、受信メッセージ等を表示する液晶表示装置を有する表示手段としての表示部１３とを備えている。また、携帯電話装置１０は、（ｄ）通話時に通信相手から送られてきた音声信号を再生する通話用スピーカ１４と、（ｅ）集音時に音を入力したり、通話時に音声を入力したりするためのマイクロフォン１５と、（ｆ）着信音や案内音を発生するための案内用スピーカ１６と、（ｇ）基地局との間で無線信号を授受するためのアンテナ１７とを備えている。
【００３０】
携帯電話本体１１の内部には、図２に示されるように、（ｉ）携帯電話装置１０全体の動作を統括制御する制御部２１と、(ii)アンテナ１７を介して、基地局との間で無線信号の送受信を行う送受信部２２と、（iii）制御部２１で実行されるプログラムや各種データを格納する記憶部２３とを備えている。
【００３１】
記憶部２３は、読出専用メモリ（ＲＯＭ）素子（フラッシュＲＯＭ素子等の消去可能ＲＯＭ素子を含む）や、ランダムアクセスメモリ（ＲＡＭ）素子から構成されている。この記憶部２３内には、ウェブサイトの画面を保存する領域である画面保存領域２５が設けられている。
【００３２】
制御部２１は、中央処理装置（ＣＰＵ）、デジタル信号処理装置（ＤＳＰ）等を備えて構成され、一般的な携帯電話機能を含む様々な機能を実現するために、様々なデータ処理を行うとともに、上述した他の構成要素の動作制御を行うようになっている。この制御部２１において実行されるプログラムの一つとして、フルブラウザ機能を含むブラウザ機能を実現するためのウェブブラウザ３１がある。このウェブブラウザ３１は、画面保存制御部３２を備えている。
【００３３】
画面保存制御部３２は、表示部１３に表示中のウェブサイト画面の保存を制御する。この画面保存制御部３２は、図３に示されるように、サイズ判定手段である合計サイズ判定部３３と、保存形式判定手段である保存判定部３４と、保存部３５とを備えている。
【００３４】
合計サイズ判定部３３は、表示部１３に表示中のウェブサイト画面を構成している各要素毎のファイルとして保存する通常形式によって保存するとした場合に必要な記憶容量が、保存可能容量条件を満たすか否かを判定する。また、保存判定部３４は、合計サイズ判定部３３による判定の結果が否定的であった場合に、予め用意され、ファイル形式及び圧縮レベルで特定される複数の圧縮形式（保存形式）の中に、当該ウェブサイト画面の全画面又は表示画面のイメージデータを保存するに際して、当該保存可能容量条件を満たすことが可能な少なくとも一つの適用可能保存形式が存在するか否かを判定する。なお、本実施形態においては、「保存可能容量条件」を、保存に使用するイメージデータの容量が、画面保存領域２５においてイメージデータの保存に利用可能なメモリ残量以下であることとしている。
【００３５】
保存部３５は、合計サイズ判定部３３による判定の結果、及び、保存判定部３４による判定の結果に基づいて、ウェブサイト画面の情報を画面保存領域２５に保存する。この保存部３５は、通常保存部３６と、全画面保存手段である全画面保存部３７と、表示サイズ保存手段である表示サイズ保存部３８とを備えている。
【００３６】
通常保存部３６は、ウェブサイト画面の情報を上記の通常形式で画面保存領域２５に保存する。また、全画面保存部３７は、ウェブサイトにおいて表示対象である画面全体を、メモリ容量との関係により通常形式で保存することができない場合に、イメージデータとして画面保存領域２５に保存する。さらに、表示サイズ保存部３８は、メモリ容量との関係により、ウェブサイトにおいて表示対象である画面全体をイメージデータとして保存することができない場合に、現に表示対象としている領域の画面をイメージデータとして画面保存領域２５に保存する。
【００３７】
＜動作＞
次に、以上のように構成された移動通信端末装置１０におけるウェブ画面保存の動作について、主に着目して説明する。
【００３８】
まず、ウェブブラウザ３１が起動され、利用者がウェブサイトを閲覧中に、操作部１２等からの入力操作により、閲覧中のウェブ画面を保存することが選択されたことが検出されると、画面保存制御部３２が起動される。
【００３９】
画面保存制御部３２が起動されると、図４に示されるように、まず、ステップＳ１１において、合計サイズ判定部３３が、当該ウェブサイト画面に関する情報を、ウェブサーバから送信されてきた形式と同様のＨＴＭＬファイルや個々の画像ファイル等から構成される通常形式によって保存する場合における全ファイルの合計サイズを算出する。引き続き、ステップＳ１２において、合計サイズ判定部３３が、当該合計サイズが、所定サイズ以下であるか否かを判定する。ここで、所定サイズとは、画面保存領域２５のメモリの残量である。当該判定の結果が肯定的であった場合には、当該合計サイズが保存できる領域があるということを意味するので、合計サイズ判定部３３はその旨を通常保存部３６に報告し、処理はステップＳ１３へ進む。
【００４０】
ステップＳ１３では、合計サイズ判定部３３による判定の結果が肯定的であった旨の報告を受けた通常保存部３６が、ウェブサイト画面の情報を通常形式保存で画面保存領域２５に保存する。当該保存が完了すると、処理は終了する。
【００４１】
上述のステップＳ１２における判定の結果が否定的であった場合には、ファイル毎の形式による保存ではサイズが大きすぎて保存できないことを意味するので、合計サイズ判定部３３はその旨を保存判定部３４に報告し、処理はステップＳ１４へ進む。このステップＳ１４においては、ウェブサイトの表示可能な全体の画面である全画面を画像として保存するための、圧縮保存処理が行われる。
【００４２】
圧縮保存処理では、図５に示されるように、まず、ステップＳ２１において、保存判定部３４が、全画面を画像として保存する際に採用するファイル形式において選択可能な全ての圧縮レベルについて、圧縮後のサイズ（圧縮サイズ）を算出したか否かを判定する。ここで、「採用するファイル形式」とは、例えば、ＪＰＥＧ形式、ＧＩＦ形式等であり、予め設定されている。また、「圧縮レベル」としては、圧縮しない場合を含み複数のレベルが予め用意されている。
【００４３】
ステップＳ２１における判定の結果が否定的であった場合には、処理はステップＳ２２へ進む。このステップＳ２２においては、保存判定部３４が、選択可能な圧縮レベルによって全画面のイメージデータの圧縮後のデータサイズを算出する。
【００４４】
引き続き、ステップＳ２３において、保存判定部３４が、ステップＳ２２において算出された圧縮後データサイズが、所定サイズ、すなわち、画面保存領域２５においてイメージデータの保存に利用可能なメモリ残量以下であるか否かを判定する。当該判定の結果が否定的であった場合には、次の圧縮レベルを適用した判定をするために、処理はステップＳ２１へ戻る。そして、ステップＳ２１又はステップＳ２３において肯定的な判定の結果が得られるまで、ステップＳ２１〜Ｓ２３の処理が繰り返される。
【００４５】
なお、ステップＳ２１〜Ｓ２３の処理の繰り返しでは、圧縮の程度の低い順に、ステップＳ２２における圧縮サイズが算出される。
【００４６】
ステップＳ２３の判定の結果が肯定的であった場合には、圧縮した画像を保存することが可能であることを意味するので、最新に圧縮サイズが算出された圧縮形式を保存形式として選択する。そして、処理はステップＳ２４へ進む。
【００４７】
ステップＳ２４においては、保存判定部３４が、まず、選択された保存形式で圧縮した状態の画像で全画面を保存するか否かを利用者に対して問う旨を、表示部１３へ出力する。この表示を見た利用者の入力操作により、保存することが選択された場合には、保存判定部３４が、その旨及び選択された保存形式を全画面保存部３７に報告する。そして、処理はステップＳ２５へ進む。
【００４８】
ステップＳ２５においては、全画面保存部３７が、全画面のイメージデータを選択された保存形式に従って圧縮して、画面保存領域２５に保存する処理を行う。当該保存の際には、当該画像をウェブサイトのＵＲＬと紐付けて、画面保存領域２５に保存する。当該保存が完了すると、ステップＳ１４の処理は終了する。この結果、圧縮保存処理が終了する（図４参照）。
【００４９】
一方、ステップＳ２４において、利用者の入力操作により、保存しないことが選択された場合には、そのままステップＳ１４の処理が終了し、圧縮保存処理が終了する。
【００５０】
上述したステップＳ２１における判定の結果が肯定的であった場合には、処理はステップＳ２６へ進む。このステップＳ２６においては、表示部１３に現に表示されているサイズである表示サイズでイメージデータを保存するための表示サイズ保存処理が行われる。
【００５１】
表示サイズ保存処理では、図６に示されるように、まず、ステップＳ３１において、保存判定部３４が、表示サイズの画面を画像として保存する際に採用するファイル形式において選択可能な全ての圧縮レベルについて、圧縮後のサイズ（圧縮サイズ）を算出したか否かを判定する。当該判定の結果が否定的であった場合には、処理はステップＳ３２へ進む。このステップＳ３２においては、保存判定部３４が、選択可能な圧縮レベルによって表示サイズ画面のイメージデータの圧縮後のデータサイズを算出する。
【００５２】
引き続き、ステップＳ３３において、保存判定部３４が、ステップＳ３２において算出された圧縮後データサイズが、所定サイズ、すなわち、画面保存領域２５においてイメージデータの保存に利用可能なメモリ残量以下であるか否かを判定する。当該判定の結果が否定的であった場合には、次の圧縮レベルを適用した判定をするために、処理はステップＳ３１へ戻る。そして、ステップＳ３１又はステップＳ３３において肯定的な判定の結果が得られるまで、ステップＳ３１〜Ｓ３３の処理が繰り返される。
【００５３】
なお、ステップＳ３１〜Ｓ３３の処理の繰り返しでは、上述したステップＳ２１〜Ｓ２３の処理の繰り返しの場合と同様に、圧縮の程度の低い順に、ステップＳ３３における圧縮後データサイズが算出される。
【００５４】
ステップＳ３３における判定の結果が肯定的となると、処理はステップＳ３４へ進む。このステップＳ３４においては、保存判定部３４が、まず、選択された保存形式で圧縮した状態の画像で表示サイズ画面を保存するか否かを利用者に対して問う旨を、表示部１３へ出力する。この表示を見た利用者の入力操作により、保存することが選択された場合には、保存判定部３４が、その旨及び選択された保存形式を表示サイズ保存部３８に報告する。そして、処理はステップＳ３５へ進む。
【００５５】
ステップＳ３５においては、表示サイズ保存部３８が、表示サイズ画面のイメージデータを選択された保存形式に従って圧縮して、画面保存領域２５に保存する処理を行う。当該保存の際には、当該画像をウェブサイトのＵＲＬと紐付けて、画面保存領域２５に保存する。当該保存が完了するとステップＳ２６の処理が終了する。この結果、ステップＳ１４の処理が終了し、圧縮保存処理が終了する（図４，５参照）。
【００５６】
一方、ステップＳ３４において、利用者の入力操作により、保存しないことが選択された場合には、そのままステップＳ２６の処理が終了する。この結果、ステップＳ１４の処理が終了し、圧縮保存処理が終了する。
【００５７】
上述したステップＳ３１における判定の結果が肯定的であった場合は、所定のファイル形式の全ての圧縮レベルについて保存を判定し、それでも画面保存領域２５のメモリの残量以下にはならなかった場合である。このため、ステップＳ３１における判定の結果が肯定的であった場合には、処理はステップＳ３６へ進み、「保存不可能である」旨が表示部１３に表示される。そして、ステップＳ２６の処理が終了する。この結果、ステップＳ１４の処理が終了し、圧縮保存処理が終了する。
【００５８】
以上説明したように、本発明の移動通信端末装置は、表示部１３と画像保存領域２５とを前提として備える。そして、ウェブサイトを表示中に画面保存の指令がなされたときに、表示対象となっているウェブサイト画面全体である全画面をウェブサイト画面を構成する各要素毎のファイルとして保存する通常形式によって保存するとした場合に必要な記憶容量が、保存可能容量条件を満たすか否かを、合計サイズ判定部３３が判定する。
【００５９】
合計サイズ判定部３３による判定の結果が否定的であった場合には、予め移動通信端末装置において用意されている複数の保存形式の中に、当該全画面を対象に、そのイメージデータを保存するに際し、当該保存可能容量条件を満たすことが可能な少なくとも一つの適用可能保存形式が存在するか否かを、保存判定部３４が、更に判定する。
【００６０】
保存判定部３４による判定の結果が肯定的であった場合には、該当する適用可能保存形式の中で、データ圧縮率が最も低い最適保存形式を選択することになる。したがって、全画面保存部３７が、当該イメージデータを当該保存形式により、当該ウェブサイトのネットワーク上の位置を示す識別子と関連付けて保存する。
【００６１】
保存判定部３４における判定の結果が否定的で、当該全画面を対象としては保存することができないときは、全画面ではなく、画面保存を選択したタイミングで現に画面に表示されている領域を対象として、イメージデータとして保存する。この際も、画面サイズ保存手段は、当該保存可能容量条件を満たすようなデータ圧縮率が最も低い保存形式を選択する。引き続き、表示サイズ保存部３８は、当該ウェブサイトのネットワーク上の位置を示す識別子と関連付けて、対象である表示されている領域を保存する。
【００６２】
したがって、本実施形態によれば、利用者の利便性を確保しつつ、ウェブサイト画面の保存を合理的に行うことができるウェブ画面保存方法及び移動通信端末装置を提供することができる。
＜実施形態の変形＞
【００６３】
なお、上記の実施形態では、保存可能容量条件として、保存対象データが画面保存領域２５のメモリの残量以下のサイズである、こととしたが、予め設定した所定の最大保存可能サイズ以下のサイズである、とすることもできる。
【００６４】
また、上記の実施形態では、本発明を携帯電話装置に適用したが、携帯電話装置以外の移動通信端末装置に本発明を適用することができるのは勿論である。
【産業上の利用可能性】
【００６５】
以上説明したように、本発明の移動通信端末装置は、メモリ使用量を節約したウェブ画面保存方法を搭載した移動通信端末装置に適用できる。
【図面の簡単な説明】
【００６６】
【図１】本発明の移動通信端末装置の外観構成を概略的に示す図である。
【図２】図１の装置の内部構成を説明するためのブロック図である。
【図３】図２の制御部内の画面保存制御部の構成を示すブロック図である。
【図４】図３の画面保存制御部の動作を説明するフロー図（その１）である。
【図５】図３の画面保存制御部の動作を説明するフロー図（その２）である。
【図６】図３の画面保存制御部の動作を説明するフロー図（その３）である。
【符号の説明】
【００６７】
１０…携帯電話装置（移動通信端末装置）、１１…携帯電話本体、１２…操作部、１３…表示部、１４…通話用スピーカ、１５…マイクロフォン、１６…案内用スピーカ、１７…アンテナ、２１…制御部、２２…送受信部、２３…記憶部、２５…画面保存領域、３１…ウェブブラウザ、３２…画像保存制御部、３３…合計サイズ判定部、３４…保存判定部、３５…保存部、３６…通常保存部、３７…全画面保存部、３８…表示サイズ保存部。
【図１】
2008052314.tif 000003
【図２】
2008052314.tif 000004
【図３】
2008052314.tif 000005
【図４】
2008052314.tif 000006
【図５】
2008052314.tif 000007
【図６】
2008052314.tif 000008